(57)【要約】【課題】異なるリリース番号のＲＲＣプロトコル機能を搭載する無線基地局が混在する場合のハンドオーバ処理における不具合を解消する。【解決手段】本発明に係る移動通信方法は、無線基地局ｅＮＢ＃１が、無線基地局ｅＮＢ＃２に対して、無線基地局ｅＮＢ＃１で使用されている「Ｒｅｌｅａｓｅ  １０」のＲＲＣプロトコル機能によって生成された「ＨＯ  Ｐｒｅｐａｒａｔｉｏｎ  Ｉｎｆｏｒｍａｔｉｏｎ」を送信する工程と、無線基地局ｅＮＢ＃２が、無線基地局ｅＮＢ＃２で使用されている「Ｒｅｌｅａｓｅ  ９」を含む「ＨＯ  Ｐｒｅｐａｒａｔｉｏｎ  Ｆａｉｌｕｒｅ」を送信する工程と、無線基地局ｅＮＢ＃１が、無線基地局ｅＮＢ＃２に対して、「Ｒｅｌｅａｓｅ  ９」のＲＲＣプロトコル機能によって生成された「ＨＯ  Ｐｒｅｐａｒａｔｉｏｎ  Ｉｎｆｏｒｍａｔｉｏｎ」を送信する工程とを有する。【選択図】図２
2011139328.tif 000002
【特許請求の範囲】
【請求項１】
第１無線基地局が、第２無線基地局に対して、該第１無線基地局で使用されている第１リリース番号の所定プロトコル機能によって生成されたハンドオーバ準備要求信号を送信する工程と、
前記第２無線基地局が、前記第１リリース番号の所定プロトコル機能を搭載していない場合、該第２無線基地局で使用されている所定プロトコル機能のリリース番号であり、該第１リリース番号よりも古いリリース番号である第２リリース番号を含むハンドオーバ準備失敗信号を送信する工程と、
前記第１無線基地局が、前記第２無線基地局に対して、前記ハンドオーバ準備失敗信号に含まれる前記第２リリース番号の所定プロトコル機能によって生成されたハンドオーバ準備要求信号を送信する工程とを有することを特徴とする移動通信方法。
【請求項２】
第１無線基地局との間でコネクションを設定している移動局が、第２無線基地局によって送信された報知情報を受信する工程と、
前記移動局が、前記第１無線基地局に対して、前記報知情報に含まれる前記第２無線基地局で使用されている所定プロトコル機能のリリース番号を、測定報告によって通知する工程とを有することを特徴とする移動通信方法。
【請求項３】
移動局との間でコネクションを設定している無線基地局であって、
該移動局の周辺無線基地局配下のセルへのハンドオーバを行うことが決定された場合に、該周辺無線基地局に対して、前記無線基地局で使用されている第１リリース番号の所定プロトコル機能によって生成されたハンドオーバ準備要求信号を送信するように構成されている送信部と、
前記周辺無線基地局から、ハンドオーバ準備失敗信号を受信するように構成されている受信部とを具備し、
前記ハンドオーバ準備失敗信号において、前記周辺無線基地局で使用されている所定プロトコル機能のリリース番号として前記第１リリース番号よりも古いリリース番号である第２リリース番号が含まれていた場合、前記送信部は、該周辺無線基地局に対して、該第２リリース番号の所定プロトコル機能によって生成されたハンドオーバ準備要求信号を送信するように構成されていることを特徴とする無線基地局。
【請求項４】
移動局との間でコネクションを設定している無線基地局であって、
前記移動局から、前記周辺無線基地局で使用されている所定プロトコル機能のリリース番号を含む測定報告を受信するように構成されている受信部と、
前記移動局の前記周辺無線基地局配下のセルへのハンドオーバを行うことが決定された場合に、該周辺無線基地局に対して、前記測定報告に含まれているリリース番号の所定プロトコル機能によって生成されたハンドオーバ準備要求信号を送信するように構成されている送信部とを具備することを特徴とする無線基地局。
【請求項５】
第１無線基地局との間でコネクションを設定している移動局であって、
第２無線基地局によって送信された報知情報を受信するように構成されている報知情報受信部と、
前記第１無線基地局に対して、前記報知情報に含まれる前記第２無線基地局で使用されている所定プロトコル機能のリリース番号を、測定報告によって通知するように構成されている測定報告送信部とを具備することを特徴とする移動局。
【発明の詳細な説明】
【技術分野】
【０００１】
本発明は、移動通信方法、無線基地局及び移動局に関する。
【背景技術】
【０００２】
現在、３ＧＰＰにおいて、ＬＴＥ（Ｌｏｎｇ  Ｔｅｒｍ  Ｅｖｏｌｕｔｉｏｎ）方式のさらなる拡張規格の策定作業が進められている。
【０００３】
３ＧＰＰでは、「ＵＴＲＡ（Ｕｎｉｖｅｒｓａｌ  Ｔｅｒｒｅｓｔｒｉａｌ  Ｒａｄｉｏ  Ａｃｃｅｓｓ）」方式及び「ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）」方式や、ＬＴＥ方式の「Ｅｖｏｌｖｅｄ  ＵＴＲＡ（Ｅ-ＵＴＲＡ）」及び「Ｅｖｏｌｖｅｄ  ＵＴＲＡＮ（Ｅ-ＵＴＲＡＮ）」に関する拡張規格が定期的に策定されており、「リリース（Ｒｅｌｅａｓｅ）番号」で拡張機能の版数が管理されている。
【０００４】
かかるＬＴＥ方式は「Ｒｅｌｅａｓｅ  ８」で初めて規定され、現在、「Ｒｅｌｅａｓｅ  ９」における拡張規格の策定作業が進められている。
【先行技術文献】
【非特許文献】
【０００５】
【非特許文献１】３ＧＰＰ  ＴＳ３６.３００（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年９月
【非特許文献２】３ＧＰＰ  ＴＳ３６.４１３（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｓ１  ａｐｐｌｉｃａｔｉｏｎ  ｐｒｏｔｏｃｏｌ  （Ｓ１ＡＰ）」、２００９年１２月
【非特許文献３】３ＧＰＰ  ＴＳ３６.４２３（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年１２月
【非特許文献４】３ＧＰＰ  ＴＳ３６.３３１（Ｖ９.０.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年９月
【発明の概要】
【発明が解決しようとする課題】
【０００６】
しかしながら、図１４に示すように、「Ｒｅｌｅａｓｅ  ９」で規定された「Ｒａｄｉｏ Ｒｅｓｏｕｒｃｅ  Ｃｏｎｔｒｏｌ（ＲＲＣ）プロトコル機能」を搭載したＬＴＥ方式の移動局ＵＥが、「Ｒｅｌｅａｓｅ  ９」で規定されたＲＲＣプロトコル機能を搭載したＬＴＥ方式の無線基地局ｅＮＢ＃１から「Ｒｅｌｅａｓｅ  ８」で規定されたＲＲＣプロトコル機能を搭載したＬＴＥ方式の無線基地局ｅＮＢ＃２にハンドオーバを行う場合、以下のような問題点が発生する。
【０００７】
第１に、無線基地局ｅＮＢ＃２は、無線基地局ｅＮＢ＃１からＸ２インターフェイス若しくはＳ１インターフェイス上で交換局ＭＭＥ（Ｍｏｂｉｌｉｔｙ  Ｍａｎａｇｅｍｅｎｔ  Ｅｎｔｉｔｙ）を経由して無線基地局ｅＮＢ＃２に送信される「（Ｘ２/Ｓ１）ＨＡＮＤＯＶＥＲ  ＲＥＱＵＥＳＴ」によって通知される「Ｈａｎｄｏｖｅｒ  Ｐｒｅｐａｒａｔｉｏｎ  Ｉｎｆｏｒｍａｔｉｏｎ」は、図１５に示すように、例えば、「ｕｅ-ＲａｄｉｏＡｃｃｅｓｓＣａｐａｂｉｌｉｔｙＩｎｆｏ」や「ＡＳ-Ｃｏｎｆｉｇ」といった移動局ＵＥの搭載している無線機能や、移動局ＵＥと無線基地局ｅＮＢ＃１との間で制御信号（Ｃ-ｐｌａｎｅ）及びユーザデータ（Ｕ-ｐｌａｎｅ）を伝送するために用いられている設定情報等が含まれているが、「Ｒｅｌｅａｓｅ  ９」で規定されたＲＲＣプロトコルの拡張機能に関する設定情報について理解することができない。
【０００８】
第２に、「Ｒｅｌｅａｓｅ  ９」で規定されたＲＲＣプロトコル機能を搭載したＬＴＥ方式の移動局ＵＥは、「Ｒｅｌｅａｓｅ  ８」で規定されたＲＲＣプロトコル機能を搭載した無線基地局ｅＮＢ＃２に、ハンドオーバを行う場合、移動局ＵＥにおいて「Ｒｅｌｅａｓｅ  ９」で規定された拡張機能を無効にする必要があるが、無効にする契機及び方法は規定されていない。
【０００９】
そこで、本発明は、上述の課題に鑑みてなされたものであり、異なるリリース番号のＲＲＣプロトコル機能を搭載した無線基地局が混在する場合のハンドオーバ処理における不具合を解消することができる移動通信方法、無線基地局及び移動局を提供することを目的とする。
【課題を解決するための手段】
【００１０】
本発明の第１の特徴は、移動通信方法であって、第１無線基地局が、第２無線基地局に対して、該第１無線基地局で使用されている第１リリース番号の所定プロトコル機能によって生成されたハンドオーバ準備要求信号を送信する工程と、前記第２無線基地局が、前記第１リリース番号の所定プロトコル機能を搭載していない場合、該第２無線基地局で使用されている所定プロトコル機能のリリース番号であり、該第１リリース番号よりも古いリリース番号である第２リリース番号を含むハンドオーバ準備失敗信号を送信する工程と、前記第１無線基地局が、前記第２無線基地局に対して、前記ハンドオーバ準備失敗信号に含まれる前記第２リリース番号の所定プロトコル機能によって生成されたハンドオーバ準備要求信号を送信する工程とを有することを要旨とする。
【００１１】
本発明の第２の特徴は、移動通信方法であって、第１無線基地局との間でコネクションを設定している移動局が、第２無線基地局によって送信された報知情報を受信する工程と、前記移動局が、前記第１無線基地局に対して、前記報知情報に含まれる前記第２無線基地局で使用されている所定プロトコル機能のリリース番号を、測定報告によって通知する工程とを有することを要旨とする。
【００１２】
本発明の第３の特徴は、移動局との間でコネクションを設定している無線基地局であって、該移動局の周辺無線基地局配下のセルへのハンドオーバを行うことが決定された場合に、該周辺無線基地局に対して、前記無線基地局で使用されている第１リリース番号の所定プロトコル機能によって生成されたハンドオーバ準備要求信号を送信するように構成されている送信部と、前記周辺無線基地局から、ハンドオーバ準備失敗信号を受信するように構成されている受信部とを具備し、前記ハンドオーバ準備失敗信号において、前記周辺無線基地局で使用されている所定プロトコル機能のリリース番号として前記第１リリース番号よりも古いリリース番号である第２リリース番号が含まれていた場合、前記送信部は、該周辺無線基地局に対して、該第２リリース番号の所定プロトコル機能によって生成されたハンドオーバ準備要求信号を送信するように構成されていることを要旨とする。
【００１３】
本発明の第４の特徴は、移動局との間でコネクションを設定している無線基地局であって、前記移動局から、前記周辺無線基地局で使用されている所定プロトコル機能のリリース番号を含む測定報告を受信するように構成されている受信部と、前記移動局の前記周辺無線基地局配下のセルへのハンドオーバを行うことが決定された場合に、該周辺無線基地局に対して、前記測定報告に含まれているリリース番号の所定プロトコル機能によって生成されたハンドオーバ準備要求信号を送信するように構成されている送信部とを具備することを要旨とする。
【００１４】
本発明の第５の特徴は、第１無線基地局との間でコネクションを設定している移動局であって、第２無線基地局によって送信された報知情報を受信するように構成されている報知情報受信部と、前記第１無線基地局に対して、前記報知情報に含まれる前記第２無線基地局で使用されている所定プロトコル機能のリリース番号を、測定報告によって通知するように構成されている測定報告送信部とを具備することを要旨とする。
【発明の効果】
【００１５】
以上説明したように、本発明によれば、異なるリリース番号のＲＲＣプロトコル機能を搭載した無線基地局が混在する場合のハンドオーバ処理における不具合を解消することができる移動通信方法、無線基地局及び移動局を提供することができる。
【図面の簡単な説明】
【００１６】
【図１】本発明の第１の実施形態に係る無線基地局の機能ブロック図である。
【図２】本発明の第１の実施形態に係る移動通信システムで用いられる「（Ｓ１/Ｘ２）Ｈａｎｄｏｖｅｒ  Ｐｒｅｐａｒａｔｉｏｎ  Ｆａｉｌｕｒｅ」内の情報要素の一例を示す図である。
【図３】本発明の第１の実施形態に係る移動通信システムで用いられる「（Ｓ１/Ｘ２）Ｈａｎｄｏｖｅｒ  Ｐｒｅｐａｒａｔｉｏｎ  Ｆａｉｌｕｒｅ」内の情報要素「Ｃａｕｓｅ」内の情報要素の一例を示す図である。
【図４】本発明の第１の実施形態に係る移動通信システムの動作について説明するための図である。
【図５】本発明の変更例１に係る移動通信システムで用いられる「（Ｓ１）  Ｈａｎｄｏｖｅｒ  Ｆａｉｌｕｒｅ」内の情報要素の一例を示す図である。
【図６】本発明の変更例１に係る移動通信システムで用いられる「（Ｓ１）Ｈａｎｄｏｖｅｒ  Ｐｒｅｐａｒａｔｉｏｎ  Ｆａｉｌｕｒｅ」内の情報要素の一例を示す図である。
【図７】本発明の変更例２に係る移動局の機能ブロック図である。
【図８】本発明の変更例２に係る移動通信システムで用いられるＳＩＢ１の情報要素の一例を示す図である。
【図９】本発明の変更例２に係る移動通信システムで用いられるＭＩＢの情報要素の一例を示す図である。
【図１０】本発明の変更例２に係る移動通信システムで用いられる「Ｒｅｐｏｒｔｉｎｇ  Ｃｏｎｆｉｇｕｒａｔｉｏｎ」の情報要素の一例を示す図である。
【図１１】本発明の変更例２に係る移動通信システムで用いられる「Ｍｅａｓｕｒｅｍｅｎｔ  Ｏｂｊｅｃｔ」の情報要素の一例を示す図である。
【図１２】本発明の変更例２に係る移動通信システムで用いられる「Ｒｅｐｏｒｔｉｎｇ  Ｃｏｎｆｉｇｕｒａｔｉｏｎ」の情報要素の一例を示す図である。
【図１３】本発明の変更例２に係る移動通信システムの動作について説明するための図である。
【図１４】従来の移動通信システムの問題点について説明するための図である。
【図１５】従来の移動通信システムの問題点について説明するための図である。
【発明を実施するための形態】
【００１７】
（本発明の第１の実施形態に係る移動通信システム）
図１乃至図６を参照して、本発明の第１の実施形態に係る移動通信システムについて説明する。
【００１８】
本実施形態に係る移動通信システムには、「Ｒｅｌｅａｓｅ  １０」で規定されたＲＲＣプロトコル機能を搭載したＬＴＥ方式の無線基地局ｅＮＢや、「Ｒｅｌｅａｓｅ  ９」で規定されたＲＲＣプロトコル機能を搭載したＬＴＥ方式の無線基地局ｅＮＢや、「Ｒｅｌｅａｓｅ  ８」で規定されたＲＲＣプロトコル機能を搭載したＬＴＥ方式の無線基地局ｅＮＢ等が混在している。
【００１９】
図１に示すように、本実施形態に係る無線基地局ｅＮＢは、ＮＲＴ記憶部１１と、送信部１２と、受信部１３とを具備している。
【００２０】
ＮＲＴ記憶部１１は、周辺無線基地局に係る情報が登録される「ＮＲＴ（Ｎｅｉｇｈｂｏｒ  Ｒｅｌａｔｉｏｎ  Ｔａｂｌｅ）」を記憶するように構成されている。
【００２１】
例えば、かかる周辺無線基地局に係る情報には、周辺無線基地局が対応するＬＴＥ方式のリリース番号、すなわち、周辺無線基地局で用いられているＲＲＣプロトコルのリリース番号（例えば、Ｒｅｌｅａｓｅ  ８/Ｒｅｌｅａｓｅ  ９/Ｒｅｌｅａｓｅ  １０）が含まれていてもよい。
【００２２】
送信部１２は、移動局ＵＥや周辺無線基地局ｅＮＢや交換局ＭＭＥ等に対して、各種信号を送信するように構成されている。
【００２３】
受信部１３は、移動局ＵＥや周辺無線基地局ｅＮＢや交換局ＭＭＥ（Ｍｏｂｉｌｉｔｙ  Ｍａｎａｇｅｍｅｎｔ  Ｅｎｔｉｔｙ）等から、各種信号を受信するように構成されている。
【００２４】
例えば、移動局ＵＥの無線基地局ｅＮＢから周辺無線基地局ｅＮＢ配下のセルへのＸ２インターフェイスを用いたハンドオーバを行うことが決定された場合で、かつ、周辺無線基地局ｅＮＢで使用されているＲＲＣプロトコル機能のリリース番号がＮＲＴ記憶部１１に登録されていない場合に、無線基地局ｅＮＢの送信部１２は、無線基地局ｅＮＢで使用されている「Ｒｅｌｅａｓｅ  １０」のＲＲＣプロトコル機能によって生成された「ＨＯ  Ｐｒｅｐａｒａｔｉｏｎ  Ｉｎｆｏｒｍａｔｉｏｎ」を含む「ＨＡＮＤＯＶＥＲ  ＲＥＱＵＥＳＴ」を、ハンドオーバ先の周辺無線基地局ｅＮＢに送信するように構成されている。
【００２５】
また、移動局ＵＥの無線基地局ｅＮＢから周辺無線基地局ｅＮＢ配下のセルへのＳ１インターフェイスを用いたハンドオーバを行うことが決定された場合で、かつ、周辺無線基地局ｅＮＢで使用されているＲＲＣプロトコル機能のリリース番号がＮＲＴ記憶部１１に登録されていない場合に、無線基地局ｅＮＢの送信部１２は、無線基地局ｅＮＢで使用されている「Ｒｅｌｅａｓｅ  １０」のＲＲＣプロトコル機能によって生成された「ＨＯ  Ｐｒｅｐａｒａｔｉｏｎ  Ｉｎｆｏｒｍａｔｉｏｎ」を含む「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」を、「ＨＡＮＤＯＶＥＲ  ＲＥＱＵＩＲＥＤ」に乗せて交換局ＭＭＥに送信し、交換局ＭＭＥからハンドオーバ先の周辺無線基地局ｅＮＢへは「ＨＡＮＤＯＶＥＲ  ＲＥＱＵＥＳＴ」に乗せて送信するように構成されている。
【００２６】
ここで、移動局ＵＥの無線基地局ｅＮＢから周辺無線基地局ｅＮＢ配下のセルへのＸ２インターフェイスを用いたハンドオーバを行うことが決定された場合で、かつ、周辺無線基地局ｅＮＢで使用されているＲＲＣプロトコル機能のリリース番号「Ｒｅｌｅａｓｅ  ９」がＮＲＴ記憶部１１に登録されている場合には、無線基地局ｅＮＢの送信部１２は、周辺無線基地局ｅＮＢで使用されている「Ｒｅｌｅａｓｅ  ９」のＲＲＣプロトコル機能によって生成された「ＨＯ  Ｐｒｅｐａｒａｔｉｏｎ  Ｉｎｏｒｍａｔｉｏｎ」を含む「ＨＡＮＤＯＶＥＲ  ＲＥＱＵＥＳＴ」を、ハンドオーバ先の周辺無線基地局ｅＮＢに送信するように構成されている。
【００２７】
また、移動局ＵＥの無線基地局ｅＮＢから周辺無線基地局ｅＮＢ配下のセルへのＳ１インターフェイスを用いたハンドオーバを行うことが決定された場合で、かつ、周辺無線基地局ｅＮＢで使用されているＲＲＣプロトコル機能のリリース番号「Ｒｅｌｅａｓｅ  ９」がＮＲＴ記憶部１１に登録されている場合には、無線基地局ｅＮＢの送信部１２は、周辺無線基地局ｅＮＢで使用されている「Ｒｅｌｅａｓｅ  ９」のＲＲＣプロトコル機能によって生成された「ＨＯ  Ｐｒｅｐａｒａｔｉｏｎ  Ｉｎｆｏｒｍａｔｉｏｎ」を含む「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」を、「ＨＡＮＤＯＶＥＲ  ＲＥＱＵＩＲＥＤ」に乗せて交換局ＭＭＥに送信し、交換局ＭＭＥからハンドオーバ先の周辺無線基地局ｅＮＢへは「ＨＡＮＤＯＶＥＲ  ＲＥＱＵＥＳＴ」に乗せて送信するように構成されている。
【００２８】
また、移動局ＵＥの無線基地局ｅＮＢから周辺無線基地局ｅＮＢ配下のセルへのハンドオーバを行うことが決定された場合で、かつ、周辺無線基地局ｅＮＢにおいて、受信された「ＨＯ  Ｐｒｅｐａｒａｔｉｏｎ  Ｉｎｏｒｍａｔｉｏｎ」を生成した「Ｒｅｌｅａｓｅ  １０」のＲＲＣプロトコル機能を搭載されていない場合、周辺無線基地局ｅＮＢの送信部１２は、無線基地局ｅＮＢに対して、周辺無線基地局ｅＮＢで使用されているリリース番号であり、「Ｒｅｌｅａｓｅ  １０」よりも古いリリース番号である「Ｒｅｌｅａｓｅ  ９」を含む「ＨＯ  Ｐｒｅｐａｒａｔｉｏｎ  Ｆａｉｌｕｒｅ」を送信するように構成されている。
【００２９】
すなわち、移動局ＵＥの無線基地局ｅＮＢから周辺無線基地局ｅＮＢ配下のセルへのハンドオーバを行うことが決定された場合で、かつ、受信された「ＨＯ  Ｐｒｅｐａｒａｔｉｏｎ  Ｉｎｏｒｍａｔｉｏｎ」に、周辺無線基地局ｅＮＢで使用されているＲＲＣプロトコル機能によってサポートされていない情報要素が含まれている場合、或いは、受信した「ＨＯ  Ｐｒｅｐａｒａｔｉｏｎ  Ｉｎｏｒｍａｔｉｏｎ」を周辺無線基地局ｅＮＢで使用されているＲＲＣプロトコル機能が理解できない場合に、周辺無線基地局ｅＮＢの送信部１２は、無線基地局ｅＮＢに対して、上述の「ＨＯ  Ｐｒｅｐａｒａｔｉｏｎ  Ｆａｉｌｕｒｅ」を送信するように構成されている。
【００３０】
かかる場合、周辺無線基地局ｅＮＢの送信部１２は、例えば、図２及び図３に示すように、かかる「ＨＯ  Ｐｒｅｐａｒａｔｉｏｎ  Ｆａｉｌｕｒｅ」内の情報要素「Ｃａｕｓｅ」に、「Ａｂｓｔｒａｃｔ  ｓｙｎｔａｘ  ｅｒｒｏｒ（ｆａｌｓｅｌｙ  ｃｏｎｓｔｒｕｃｔｅｄ  ｍｅｓｓａｇｅ）」を設定し、かかる「ＨＯ  Ｐｒｅｐａｒａｔｉｏｎ  Ｆａｉｌｕｒｅ」内の情報要素「ＲＲＣ  Ｐｒｏｔｏｃｏｌ  Ｒｅｌｅａｓｅ」に、周辺無線基地局ｅＮＢで使用されているＲＲＣプロトコル機能のリリース番号を設定してもよい。
【００３１】
なお、周辺無線基地局ｅＮＢで使用されているＲＲＣプロトコル機能のリリース番号が、「Ｒｅｌｅａｓｅ  ８」等の所定のリリース番号である場合、周辺無線基地局ｅＮＢの送信部１２は、上述の「ＨＯ  Ｐｒｅｐａｒａｔｉｏｎ  Ｆａｉｌｕｒｅ」内の情報要素「ＲＲＣ  Ｐｒｏｔｏｃｏｌ  Ｒｅｌｅａｓｅ」に値を設定しなくてもよい。
【００３２】
また、Ｘ２インターフェイスを用いたハンドオーバ手順において、無線基地局ｅＮＢの受信部１３によって受信された「ＨＯ  Ｐｒｅｐａｒａｔｉｏｎ  Ｆａｉｌｕｒｅ」内に、周辺無線基地局ｅＮＢで使用されているＲＲＣプロトコル機能のリリース番号として、無線基地局ｅＮＢで使用されているＲＲＣプロトコル機能のリリース番号「Ｒｅｌｅａｓｅ  １０」よりも古いリリース番号「Ｒｅｌｅａｓｅ  ９」が含まれていた場合、無線基地局ｅＮＢの送信部１２は、「Ｒｅｌｅａｓｅ  ９」のＲＲＣプロトコル機能によって生成された「ＨＯ  Ｐｒｅｐａｒａｔｉｏｎ  Ｉｎｏｒｍａｔｉｏｎ」を含む「ＨＡＮＤＯＶＥＲ  ＲＥＱＵＥＳＴ」を、ハンドオーバ先の周辺無線基地局ｅＮＢに送信するように構成されている。
【００３３】
また、Ｓ１インターフェイスを用いたハンドオーバ手順において、無線基地局ｅＮＢの受信部１３によって受信された「ＨＯ  Ｐｒｅｐａｒａｔｉｏｎ  Ｆａｉｌｕｒｅ」内に、周辺無線基地局ｅＮＢで使用されているＲＲＣプロトコル機能のリリース番号として、無線基地局ｅＮＢで使用されているＲＲＣプロトコル機能のリリース番号「Ｒｅｌｅａｓｅ  １０」よりも古いリリース番号「Ｒｅｌｅａｓｅ  ９」が含まれていた場合、無線基地局ｅＮＢの送信部１２は、「Ｒｅｌｅａｓｅ  ９」のＲＲＣプロトコル機能によって生成された「ＨＯ  Ｐｒｅｐａｒａｔｉｏｎ  Ｉｎｆｏｒｍａｔｉｏｎ」を含む「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」を、「ＨＡＮＤＯＶＥＲ  ＲＥＱＵＩＲＥＤ」に乗せて交換局ＭＭＥに送信し、交換局ＭＭＥからハンドオーバ先の周辺無線基地局ｅＮＢへは「ＨＡＮＤＯＶＥＲ  ＲＥＱＵＥＳＴ」に乗せて送信するように構成されている。
【００３４】
以下、図４を参照して、本実施形態に係る移動通信システムの動作について説明する。
【００３５】
図４に示すように、ステップＳ１０１において、移動局ＵＥが、無線基地局ｅＮＢ＃１に対して、「Ｍｅａｓｕｒｅｍｅｎｔ  Ｒｅｐｏｒｔ（測定報告）」を送信し、ステップＳ１０２において、無線基地局ｅＮＢ＃１が、かかる「Ｍｅａｓｕｒｅｍｅｎｔ  Ｒｅｐｏｒｔ」に基づいて、移動局ＵＥの無線基地局ｅＮＢ＃１配下のセルから無線基地局ｅＮＢ＃２配下のセルへのハンドオーバを行うことが決定する。
【００３６】
ステップＳ１０３において、無線基地局ｅＮＢ＃１は、無線基地局ｅＮＢ＃２に対して、無線基地局ｅＮＢ＃１で使用されている「Ｒｅｌｅａｓｅ  １０」のＲＲＣプロトコル機能によって生成された「ＨＯ  Ｐｒｅｐａｒａｔｉｏｎ  Ｉｎｏｒｍａｔｉｏｎ」を含む「（Ｘ２）ＨＡＮＤＯＶＥＲ  ＲＥＱＵＥＳＴ」を送信する。
【００３７】
ステップＳ１０４において、無線基地局ｅＮＢ＃２は、受信した「ＨＯ  Ｐｒｅｐａｒａｔｉｏｎ  Ｉｎｏｒｍａｔｉｏｎ」に、無線基地局ｅＮＢ＃２で使用されているＲＲＣプロトコル機能によってサポートされていない情報要素が含まれている場合、或いは、受信した「ＨＯ  Ｐｒｅｐａｒａｔｉｏｎ  Ｉｎｏｒｍａｔｉｏｎ」を無線基地局ｅＮＢ＃２で使用されているＲＲＣプロトコル機能が理解できない場合に、無線基地局ｅＮＢ＃１に対して、無線基地局ｅＮＢ＃２で使用されているＲＲＣプロトコル機能のリリース番号「Ｒｅｌｅａｓｅ  ９」を含む「（Ｘ２）ＨＯ  Ｐｒｅｐａｒａｔｉｏｎ  Ｆａｉｌｕｒｅ」を送信する。
【００３８】
ステップＳ１０５において、無線基地局ｅＮＢ＃１は、無線基地局ｅＮＢ＃２に対して、受信した「（Ｘ２）ＨＯ  Ｐｒｅｐａｒａｔｉｏｎ  Ｆａｉｌｕｒｅ」に含まれているリリース番号「Ｒｅｌｅａｓｅ  ９」のＲＲＣプロトコル機能によって生成された「ＨＯ  Ｐｒｅｐａｒａｔｉｏｎ  Ｉｎｏｒｍａｔｉｏｎ」を含む「（Ｘ２）ＨＡＮＤＯＶＥＲ  ＲＥＱＵＥＳＴ」を送信する。
【００３９】
ステップＳ１０６において、無線基地局ｅＮＢ＃２は、無線基地局ｅＮＢ＃１に対して、「（Ｘ２）ＨＡＮＤＯＶＥＲ  ＲＥＱＵＥＳＴ  ＡＣＫＮＯＷＬＥＤＧＥ」を送信する。
【００４０】
本発明の第１の実施形態に係る移動通信システムによれば、移動局ＵＥに係るハンドオーバ処理において、無線基地局ｅＮＢが周辺無線基地局で使用されているＲＲＣプロトコル機能のリリース番号を知ることができるので、ハンドオーバ元無線基地局とハンドオーバ先無線基地局との間で、使用するＲＲＣプロトコル機能のリリース番号を同一にすることで、ハンドオーバ処理における不具合を解消することができる。
【００４１】
（変更例１）
図５及び図６を参照して、上述の第１の実施形態に係る移動通信システムの変更例１について説明する。以下、本変更例１に係る移動通信システムについて、上述の第１の実施形態に係る移動通信システムとの相違点に着目して説明する。
【００４２】
本変更例１に係る移動通信システムは、移動局ＵＥの無線基地局ｅＮＢ＃１から無線基地局ｅＮＢ＃２配下のセルへのハンドオーバとして、Ｘ２ハンドオーバではなく、Ｓ１ハンドオーバが行われるケースを想定する。
【００４３】
かかる場合、無線基地局ｅＮＢ＃２は、受信された「ＨＯ  Ｐｒｅｐａｒａｔｉｏｎ  Ｉｎｏｒｍａｔｉｏｎ」が生成された「Ｒｅｌｅａｓｅ  １０」のＲＲＣプロトコル機能を搭載していない場合、交換局ＭＭＥに対して、例えば、図５に示す情報要素を含む「（Ｓ１）ＨＡＮＤＯＶＥＲ  ＦＡＩＬＵＲＥ」を送信するように構成されている。
【００４４】
ここで、無線基地局ｅＮＢ＃２は、かかる「（Ｓ１）Ｈａｎｄｏｖｅｒ  Ｆａｉｌｕｒｅ」内の情報要素「Ｃａｕｓｅ」に、「Ａｂｓｔｒａｃｔ  ｓｙｎｔａｘ  ｅｒｒｏｒ（ｆａｌｓｅｌｙ  ｃｏｎｓｔｒｕｃｔｅｄ  ｍｅｓｓａｇｅ）」を設定し、かかる「（Ｓ１）Ｈａｎｄｏｖｅｒ  Ｆａｉｌｕｒｅ」内の情報要素「ＲＲＣ  Ｐｒｏｔｏｃｏｌ  Ｒｅｌｅａｓｅ」に、無線基地局ｅＮＢ＃２で使用されているＲＲＣプロトコル機能のリリース番号を設定してもよい。
【００４５】
また、交換局ＭＭＥは、かかる「（Ｓ１）Ｈａｎｄｏｖｅｒ  Ｆａｉｌｕｒｅ」を受信した場合、無線基地局ｅＮＢ＃１に対して、例えば、図６に示す情報要素を含む「（Ｓ１）Ｈａｎｄｏｖｅｒ  Ｐｒｅｐａｒａｔｉｏｎ  Ｆａｉｌｕｒｅ」を送信するように構成されている。
【００４６】
ここで、無線基地局ｅＮＢ＃２は、かかる「（Ｓ１）Ｈａｎｄｏｖｅｒ  Ｐｒｅｐａｒａｔｉｏｎ  Ｆａｉｌｕｒｅ」内の情報要素「Ｃａｕｓｅ」に、「Ａｂｓｔｒａｃｔ  ｓｙｎｔａｘ  ｅｒｒｏｒ（ｆａｌｓｅｌｙ  ｃｏｎｓｔｒｕｃｔｅｄ  ｍｅｓｓａｇｅ）」を設定し、かかる「（Ｓ１）Ｈａｎｄｏｖｅｒ  Ｐｒｅｐａｒａｔｉｏｎ  Ｆａｉｌｕｒｅ」内の情報要素「ＲＲＣ  Ｐｒｏｔｏｃｏｌ  Ｒｅｌｅａｓｅ」に、無線基地局ｅＮＢ＃２で使用されているＲＲＣプロトコル機能のリリース番号を設定してもよい。
【００４７】
（変更例２）
図７及び図８を参照して、上述の第１の実施形態に係る移動通信システムの変更例２について説明する。以下、本変更例２に係る移動通信システムについて、上述の第１の実施形態に係る移動通信システムとの相違点に着目して説明する。
【００４８】
図７に示すように、本変更例２に係る移動局ＵＥは、報知情報受信部２１と、測定報告送信部２２とを具備している。
【００４９】
移動局ＵＥが、無線基地局ｅＮＢ＃１との間でＲＲＣコネクションを設定している場合に、報知情報受信部２１は、周辺の無線基地局ｅＮＢ＃２によって送信された報知情報、例えば、ＳＩＢ１（Ｓｙｓｔｅｍ  Ｉｎｆｏｒｍａｔｉｏｎ  Ｂｌｏｃｋ  １）又はＭＩＢ（Ｍａｓｔｅｒ  Ｉｎｆｏｒｍａｔｉｏｎ  Ｂｌｏｃｋ）を受信するように構成されている。
【００５０】
例えば、報知情報受信部２１は、図８に示すように、無線基地局ｅＮＢ＃２によって送信されたＳＩＢ１内の情報要素「ｐｒｏｔｏｃｏｌＲｅｌｅａｓｅ」から、無線基地局ｅＮＢ＃２で使用されているＲＲＣプロトコル機能のリリース番号を取得するように構成されていてもよい。
【００５１】
また、報知情報受信部２１は、図９に示すように、無線基地局ｅＮＢ＃２によって送信されたＭＩＢ内の情報要素「ｐｒｏｔｏｃｏｌＲｅｌｅａｓｅ」から、無線基地局ｅＮＢ＃２で使用されているＲＲＣプロトコル機能のリリース番号を取得するように構成されていてもよい。
【００５２】
測定報告送信部２２は、無線基地局ｅＮＢ＃１に対して、報知情報に含まれる無線基地局ｅＮＢ＃２で使用されているＲＲＣプロトコル機能のリリース番号を「Ｍｅａｓｕｒｅｍｅｎｔ  Ｒｅｐｏｒｔ」によって通知するように構成されている。
【００５３】
具体的には、測定報告送信部２２は、無線基地局ｅＮＢ＃１によって送信された「ＲＲＣ  Ｒｅｃｏｎｆｉｇｕｒａｔｉｏｎ」で通知されたＰＣＩ（Ｐｈｙｓｉｃａｌ  Ｃｅｌｌ  Ｉｄｅｎｔｉｔｙ）によって特定されるセルを管理する無線基地局ｅＮＢで使用されているＲＲＣプロトコル機能のリリース番号を「Ｍｅａｓｕｒｅｍｅｎｔ  Ｒｅｐｏｒｔ」によって通知するように構成されていてもよい。
【００５４】
例えば、測定報告送信部２２は、図１０に示すように、無線基地局ｅＮＢ＃１によって送信された「ＲＲＣ  Ｒｅｃｏｎｆｉｇｕｒａｔｉｏｎ」で通知される「Ｍｅａｓｕｒｅｍｅｎｔ  Ｃｏｎｆｉｇｕｒａｔｉｏｎ」内の「Ｒｅｐｏｒｔｉｎｇ  Ｃｏｎｆｉｇｕｒａｔｉｏｎ」内の情報要素「ｐｕｒｐｓｅ」に「ｒｅｐｏｒｔＣＧＩ」が設定されている場合、図１１に示すように、かかる「Ｍｅａｓｕｒｅｍｅｎｔ  Ｃｏｎｆｉｇｕｒａｔｉｏｎ」内の「Ｍｅａｓｕｒｅｍｅｎｔ  Ｏｂｊｅｃｔ」内の情報要素「ｃｅｌｌＦｏｒＷｈｉｃｈＴｏＲｅｐｏｒｔＣＧＩ」に設定されている「ＰＣＩ」によって特定されるセルにおける報知情報（ＳＩＢ１又はＭＩＢ）を受信し、かかる報知情報から、かかるセルを管理する無線基地局ｅＮＢで使用されているＲＲＣプロトコル機能のリリース番号を取得するように構成されていてもよい。
【００５５】
或いは、測定報告送信部２２は、図１２に示すように、無線基地局ｅＮＢ＃１によって送信された「ＲＲＣ  Ｒｅｃｏｎｆｉｇｕｒａｔｉｏｎ」で通知される「Ｍｅａｓｕｒｅｍｅｎｔ  Ｃｏｎｆｉｇｕｒａｔｉｏｎ」内の「Ｒｅｐｏｒｔｉｎｇ  Ｃｏｎｆｉｇｕｒａｔｉｏｎ」内の情報要素「ｐｕｒｐｓｅ」に「ｒｅｐｏｒｔＣＧＩ」が設定されており、かつ、かかる「Ｒｅｐｏｒｔｉｎｇ  Ｃｏｎｆｉｇｕｒａｔｉｏｎ」内の情報要素「ｓｉ-ＲｅｑｕｅｓｔＦｏｒＨＯ-ｒ９」に「ｔｒｕｅ」が設定されている場合に、かかる「ｒｅｐｏｒｔＣＧＩ」によって特定されるセルにおける報知情報（ＳＩＢ１又はＭＩＢ）を受信し、かかる報知情報から、かかるセルを管理する無線基地局ｅＮＢで使用されているＲＲＣプロトコル機能のリリース番号を取得するように構成されていてもよい。
【００５６】
また、無線基地局ｅＮＢ＃１が、移動局ＵＥとの間でＲＲＣコネクションを設定している場合に、無線基地局ｅＮＢ＃１の受信部１３は、移動局ＵＥから、周辺無線基地局ｅＮＢ＃２で使用されているＲＲＣプロトコル機能のリリース番号を含む「Ｍｅａｓｕｒｅｍｅｎｔ  Ｒｅｐｏｒｔ」を受信するように構成されている。
【００５７】
また、無線基地局ｅＮＢ＃１の送信部１２は、移動局ＵＥの無線基地局ｅＮＢ＃２配下のセルへのハンドオーバを行うことが決定された場合に、無線基地局ｅＮＢ＃２に対して、かかる「Ｍｅａｓｕｒｅｍｅｎｔ  Ｒｅｐｏｒｔ」に含まれているリリース番号のＲＲＣプロトコル機能によって生成された「ＨＯ  Ｐｒｅｐａｒａｔｉｏｎ  Ｉｎｏｒｍａｔｉｏｎ」を含む「（Ｘ２）ＨＡＮＤＯＶＥＲ  ＲＥＱＵＥＳＴ」若しくは「（Ｓ１）ＨＡＮＤＯＶＥＲ  ＲＥＱＵＩＲＥＤ」を送信するように構成されている。
【００５８】
以下、図１３を参照して、本変更例２に係る移動通信システムの動作について説明する。
【００５９】
図１３に示すように、ステップＳ２０１において、無線基地局ｅＮＢ＃１との間でＲＲＣコネクションを設定している移動局ＵＥは、無線基地局ｅＮＢ＃１によって指定された無線基地局ｅＮＢ＃２によって送信された報知情報（ＳＩＢ１又はＭＩＢ）を受信し、かかる報知情報から、無線基地局ｅＮＢ＃２で使用されているＲＲＣプロトコル機能のリリース番号「Ｒｅｌｅａｓｅ  ９」を抽出する。
【００６０】
ステップＳ２０２において、移動局ＵＥは、無線基地局ｅＮＢ＃１に対して、かかる「Ｒｅｌｅａｓｅ  ９」を含む「Ｍｅａｓｕｒｅｍｅｎｔ  Ｒｅｐｏｒｔ」を送信する。
【００６１】
その後、無線基地局ｅＮＢ＃１は、移動局ＵＥの無線基地局ｅＮＢ＃２配下のセルへのＸ２インターフェイスを用いたハンドオーバを行うことが決定された場合に、「Ｒｅｌｅａｓｅ  ９」によって生成された「ＨＯ  Ｐｒｅｐａｒａｔｉｏｎ  Ｉｎｏｒｍａｔｉｏｎ」を含む「ＨＡＮＤＯＶＥＲ  ＲＥＱＵＥＳＴ」を、ハンドオーバ先の無線基地局ｅＮＢ＃２に送信する。
【００６２】
或いは、無線基地局ｅＮＢ＃１は、移動局ＵＥの無線基地局ｅＮＢ＃２配下のセルへのＳ１インターフェイスを用いたハンドオーバを行うことが決定された場合に、「Ｒｅｌｅａｓｅ  ９」によって生成された「ＨＯ  Ｐｒｅｐａｒａｔｉｏｎ  Ｉｎｆｏｒｍａｔｉｏｎ」を含む「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」を、「ＨＡＮＤＯＶＥＲ  ＲＥＱＵＩＲＥＤ」に乗せて交換局ＭＭＥに送信し、交換局ＭＭＥからハンドオーバ先の周辺無線基地局ｅＮＢへは「ＨＡＮＤＯＶＥＲ  ＲＥＱＵＥＳＴ」に乗せて送信する。
【００６３】
本変更例２に係る移動通信システムによれば、移動局ＵＥから送信された「Ｍｅａｓｕｒｅｍｅｎｔ  Ｒｅｐｏｒｔ」によって、無線基地局ｅＮＢが周辺無線基地局で使用されているＲＲＣプロトコル機能のリリース番号を知ることができるので、ハンドオーバ元無線基地局とハンドオーバ先無線基地局との間で、使用するＲＲＣプロトコル機能のリリース番号を同一にすることで、ハンドオーバ処理における不具合を解消することができる。
【００６４】
以上に述べた本実施形態の特徴は、以下のように表現されていてもよい。
【００６５】
本実施形態の第１の特徴は、移動通信方法であって、無線基地局ｅＮＢ＃１（第１無線基地局）が、無線基地局ｅＮＢ＃２（第２無線基地局）に対して、無線基地局ｅＮＢ＃１で使用されている「Ｒｅｌｅａｓｅ  １０（第１リリース番号）」のＲＲＣプロトコル機能（所定プロトコル機能）によって生成された「ＨＯ  Ｐｒｅｐａｒａｔｉｏｎ  Ｉｎｆｏｒｍａｔｉｏｎ（ハンドオーバ準備要求信号）」を送信する工程と、無線基地局ｅＮＢ＃２が、「Ｒｅｌｅａｓｅ  １０」のＲＲＣプロトコル機能を搭載していない場合、無線基地局ｅＮＢ＃２で使用されているリリース番号であり、「Ｒｅｌｅａｓｅ  １０」よりも古いリリース番号である「Ｒｅｌｅａｓｅ  ９（第２リリース番号）」を含む「ＨＯ  Ｐｒｅｐａｒａｔｉｏｎ  Ｆａｉｌｕｒｅ（ハンドオーバ準備失敗信号）」を送信する工程と、無線基地局ｅＮＢ＃１が、無線基地局ｅＮＢ＃２に対して、「ＨＯ  Ｐｒｅｐａｒａｔｉｏｎ  Ｆａｉｌｕｒｅ」に含まれる「Ｒｅｌｅａｓｅ  ９」のＲＲＣプロトコル機能によって生成された「ＨＯ  Ｐｒｅｐａｒａｔｉｏｎ  Ｉｎｆｏｒｍａｔｉｏｎ」を送信する工程とを有することを要旨とする。
【００６６】
本実施形態の第２の特徴は、移動通信方法であって、無線基地局ｅＮＢ＃１との間でＲＲＣコネクション（コネクション）を設定している移動局ＵＥが、無線基地局ｅＮＢ＃２によって送信された報知情報（ＳＩＢ１又はＭＩＢ）を受信する工程と、移動局ＵＥが、無線基地局ｅＮＢ＃１に対して、報知情報に含まれる無線基地局ｅＮＢ＃２で使用されているＲＲＣプロトコル機能のリリース番号「Ｒｅｌｅａｓｅ  ９」を「Ｍｅａｓｕｒｅｍｅｎｔ  Ｒｅｐｏｒｔ（測定報告）」によって通知する工程とを有することを要旨とする。
【００６７】
本実施形態の第３の特徴は、移動局ＵＥとの間でＲＲＣコネクションを設定している無線基地局ｅＮＢ＃１であって、移動局ＵＥの周辺無線基地局ｅＮＢ＃２配下のセルへのハンドオーバを行うことが決定された場合に、周辺無線基地局ｅＮＢ＃２に対して、無線基地局ｅＮＢ＃１で使用されている「Ｒｅｌｅａｓｅ  １０」のＲＲＣプロトコル機能によって生成された「ＨＯ  Ｐｒｅｐａｒａｔｉｏｎ  Ｉｎｆｏｒｍａｔｉｏｎ」を送信するように構成されている送信部１２と、周辺無線基地局ｅＮＢ＃２から「ＨＯ  Ｐｒｅｐａｒａｔｉｏｎ  Ｆａｉｌｕｒｅ」を受信するように構成されている受信部１３とを具備し、「ＨＯ  Ｐｒｅｐａｒａｔｉｏｎ  Ｆａｉｌｕｒｅ」において、周辺無線基地局ｅＮＢ＃２で使用されているＲＲＣプロトコル機能のリリース番号として「Ｒｅｌｅａｓｅ  １０」よりも古いリリース番号である「Ｒｅｌ-９」が含まれていた場合、送信部１２は、周辺無線基地局ｅＮＢ＃２に対して、「Ｒｅｌｅａｓｅ  ９」のＲＲＣプロトコル機能によって生成された「ＨＯ  Ｐｒｅｐａｒａｔｉｏｎ  Ｉｎｆｏｒｍａｔｉｏｎ」を送信するように構成されていることを要旨とする。
【００６８】
本実施形態の第４の特徴は、移動局ＵＥとの間でＲＲＣコネクションを設定している無線基地局ｅＮＢ＃１であって、移動局ＵＥから、周辺無線基地局ｅＮＢ＃２で使用されているＲＲＣプロトコル機能のリリース番号を含む「Ｍｅａｓｕｒｅｍｅｎｔ  Ｒｅｐｏｒｔ」を受信するように構成されている受信部１３と、移動局ＵＥの周辺無線基地局ｅＮＢ＃２配下のセルへのハンドオーバを行うことが決定された場合に、周辺無線基地局ｅＮＢ＃２に対して、「Ｍｅａｓｕｒｅｍｅｎｔ  Ｒｅｐｏｒｔ」に含まれているリリース番号のＲＲＣプロトコル機能によって生成された「ＨＯ  Ｐｒｅｐａｒａｔｉｏｎ  Ｉｎｆｏｒｍａｔｉｏｎ」を送信するように構成されている送信部１２とを具備することを要旨とする。
【００６９】
本実施形態の第５の特徴は、無線基地局ｅＮＢ＃１との間でＲＲＣコネクションを設定している移動局ＵＥであって、無線基地局ｅＮＢ＃２によって送信された報知情報を受信するように構成されている報知情報受信部２１と、無線基地局ｅＮＢ＃１に対して、報知情報に含まれる無線基地局ｅＮＢ＃２で使用されているＲＲＣプロトコル機能のリリース番号を「Ｍｅａｓｕｒｅｍｅｎｔ  Ｒｅｐｏｒｔ」によって通知するように構成されている測定報告送信部２２とを具備することを要旨とする。
【００７０】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００７４】
ｅＮＢ…無線基地局
１１…ＮＲＴ記憶部
１２…送信部
１３…受信部
ＵＥ…移動局
２１…報知情報受信部
２２…測定報告送信部
【図１】
2011139328.tif 000003
【図２】
2011139328.tif 000004
【図３】
2011139328.tif 000005
【図４】
2011139328.tif 000006
【図５】
2011139328.tif 000007
【図６】
2011139328.tif 000008
【図７】
2011139328.tif 000009
【図８】
2011139328.tif 000010
【図９】
2011139328.tif 000011
【図１０】
2011139328.tif 000012
【図１１】
2011139328.tif 000013
【図１２】
2011139328.tif 000014
【図１３】
2011139328.tif 000015
【図１４】
2011139328.tif 000016
【図１５】
2011139328.tif 000017